(57)【要約】【課題】  空気調和機の設備状態や運転状態の診断に必要な情報を取得するためには、室内機もしくは室外機の内部や外部に電波音波あるいは光を用いた無線通信手段や特殊な故障診断装置が必要であるという問題点があった。【解決手段】  この発明の空気調和機の故障診断表示装置は、運転状態をランプの点灯・消灯で示す表示手段を内蔵した表示装置を備えた空気調和機において、外部に設けた外部認識装置との間を人の目では判別できないほど高速で前記表示手段を点滅させて情報を表示する高速表示部を備えたことを特徴とする空気調和機の故障診断表示装置。【選択図】        図１
2006258379.tif 000002
【特許請求の範囲】
【請求項１】
運転状態をランプの点灯・消灯で示す表示手段を内蔵した表示装置を備えた空気調和機において、外部に設けた外部認識装置との間を人の目では判別できないほど高速で前記表示手段を点滅させて情報を表示する高速表示部を備えたことを特徴とする空気調和機の故障診断表示装置。
【請求項２】
運転状態をランプの点灯・消灯で示す表示手段を内蔵した表示装置と、外部から運転設定し指示する運転指示手段の信号を送信する遠隔制御装置と、外部に設けた外部認識装置との間を人の目では判別できないほど高速で前述の表示手段を点滅させて情報を表示する高速表示部を備えた空気調和機であって、前記空気調和機の運転設定し指示する運転指示手段である遠隔制御装置からの信号に従い情報を表示することを特徴とする空気調和機の故障診断表示装置。
【請求項３】
運転状態をランプの点灯・消灯で示す表示手段を内蔵した表示装置と、外部から運転を指示するための本体スイッチから成る運転指示手段と、外部に設けた外部認識装置との間を人の目では判別できないほど高速で前記表示手段を点滅させて情報を表示する高速表示部を備えた空気調和機であって、前記本体スイッチから成る運転指示手段の信号に従い情報を表示することを特徴とする空気調和機の故障診断表示装置。
【請求項４】
運転状態をランプの点灯・消灯で示す表示手段を内蔵した表示装置と、外部から運転を指示する運転指示手段の信号を送信する遠隔制御装置と、外部に設けた外部認識装置との間を人の目では判別できないほど高速で前記表示手段を点滅させて情報を表示する高速表示部を備えた空気調和機であって、前記外部に設けた外部認識装置に信号線により接続した外部通信手段を設けたことを特徴とする空気調和機の故障診断表示装置。
【請求項５】
外部に設けた認識装置に空気調和機の故障具合の規則に従って表示部が高速点灯消灯表示する高速点灯消灯表示ステップからの情報により点滅表示を取得する点滅表示取得ステップと、点滅表示取得ステップからの情報により点灯の点滅回数および時間を判断する点灯の点滅判別ステップと、点灯の点滅判別ステップからの情報により空気調和機の故障を診断する故障診断ステップと、故障診断ステップの情報を表示する故障結果表示ステップとを備え、前記故障結果表示ステップから前記空気調和機からの故障具合情報を解析し、表示内容を判断することを特徴とする請求項１乃至請求項３記載の空気調和機の故障診断表示方法。
【請求項６】
外部に設けた認識装置に空気調和機の故障具合の規則に従って表示部が高速点灯消灯表示する高速点灯消灯表示ステップからの情報により点滅表示を取得する点滅表示取得ステップと、点滅表示取得ステップからの情報により取得した情報のデータ量の処理可否を判断するデータ量処理判定ステップと、このデータ量処理判定ステップでの判定結果が不可の場合、前記点滅表示取得ステップからの情報を外部故障診断装置へ送信する外部通信ステップと、外部故障診断装置で処理された故障結果の処理データを前記外部認識装置へ再転送する故障結果転送ステップとを備え、前記故障結果転送ステップからの情報を故障結果表示ステップで表示し、前記空気調和機からの故障具合情報を解析し、表示内容を判断することを特徴とする請求項４記載の空気調和機の故障診断表示方法。
【発明の詳細な説明】
【技術分野】
【０００１】
この発明は空気調和機に係り、特に、故障診断の表示装置に関するものである。
【背景技術】
【０００２】
従来の空気調和機の表示装置は、空気調和機の設備状態や運転状態の診断に必要な情報を、室外機もしくは室内機の内部にある通信専用の制御装置から、電波音波あるいは光などを用いた無線通信によって、上記室外機もしくは上記室内機の外部装置で受信するようにしている。（例えば、特許文献１）
【０００３】
また、室内側ユニット部および室外側ユニット部に設けた各運転制御装置間の故障信号の伝達を、光ファイバー線を介して行う空気調和機において、光ファイバー線へ発光する光源を運転表示装置の光源としているものもある。（例えば、特許文献２）
【０００４】
【特許文献１】特開平１０ー２４６４９１ 号公報（第１〜６頁、第1図、第２図）
【特許文献２】実開昭５７−１５２５３１ 号公報（第１〜１２頁、第２図）
【発明の開示】
【発明が解決しようとする課題】
【０００５】
従来の空気調和機の故障診断表示装置は、上記のように構成されているため、運転制御に必要な情報と同じ内容からなる診断に必要な情報を、室内機および室外機と診断装置の間で授受するため、電波音波あるいは光を用いた専用の無線通信手段が室内機と室外機の内部に必要であるという問題点があった。
【０００６】
また、従来の空気調和機の故障診断表示装置は、室内側ユニット部および室外側ユニット部に設けた各運転制御装置間の信号伝達をするための光ファイバー線が必要であるという問題点があった。
【０００７】
この発明は、上記のような課題を解決するためになされたもので、第１の目的は、室内機や室外機の内部に無線通信専用の手段や光ファイバー線を備えることを必要とせず、使用者向けの表示ランプを通常の運転表示状態と故障診断時の表示状態に使用することができる空気調和機の表示装置を得るものである。
【０００８】
また、第２の目的は、使用者に余計な不安を与えるような点滅をすることがなく、目で識別できないほどの高速で点灯消灯を繰り返すことができる表示手段を得るものである。
【０００９】
また、第３の目的は、使用者が通常運転時に遠隔制御装置と故障診断時に専用の故障診断信号送信装置の通信手段を２つ使用するのではなく、通常運転と故障診断の複数の信号を送信できる遠隔制御装置を得ることができるか、又は故障状態を常時表示することで、余計な故障診断信号送信装置を不要にすることができるものである。
【００１０】
また、第４の目的は、例えば、カメラ付きのパソコンや携帯電話などの外部認識装置と専用のソフトウェアを使用することで、既定のフォームに従って表示手段が高速点滅している状態の意味を認識することができるものである。
【００１１】
また、第５の目的は、外部認識装置で取得した情報を、例えば、インターネットを外部通信手段を経由することによって、外部認識装置に組み込むソフトウェアの軽量化と、サービスの正確性の向上と時間の短縮をすることができるものである。
【課題を解決するための手段】
【００１２】
この発明に係る空気調和機の故障診断表示装置は、運転状態をランプの点灯・消灯で示す表示手段を内蔵した表示装置を備えた空気調和機において、外部に設けた外部認識装置との間を人の目では判別できないほど高速で前記表示手段を点滅させて情報を表示する高速表示部を備えたものである。
【００１３】
また、この発明に係る空気調和機の故障診断表示方法は、外部に設けた認識装置に空気調和機の故障具合の規則に従って表示部が高速点灯消灯表示する高速点灯消灯表示ステップからの情報により点滅表示を取得する点滅表示取得ステップと、点滅表示取得ステップからの情報により点灯の点滅回数および時間を判断する点灯の点滅判別ステップと、点灯の点滅判別ステップからの情報により空気調和機の故障を診断する故障診断ステップと、故障診断ステップの情報を表示する故障結果表示ステップとを備え、前記故障結果表示ステップから前記空気調和機からの故障具合情報を解析し、表示内容を判断することを特徴とするものである。
【発明の効果】
【００１４】
この発明に係る空気調和機の故障診断表示装置は、運転状態をランプの点灯・消灯で示す表示手段を内蔵した表示装置を備えた空気調和機において、外部に設けた外部認識装置との間を人の目では判別できないほど高速で前記表示手段を点滅させて情報を告知する高速表示部を備えた構成としたから、通常運転時に使用する表示ランプを故障診断時における判断手段としたもので、余計な装置や通信線がいらず、安価に構成できる効果を有する。
【００１５】
また、この発明に係る空気調和機の故障診断表示方法は、外部に設けた認識装置に空気調和機の故障具合の規則に従って表示部が高速点灯消灯表示する高速点灯消灯表示ステップからの情報により点滅表示を取得する点滅表示取得ステップと、点滅表示取得ステップからの情報により点灯の点滅回数および時間を判断する点灯の点滅判別ステップと、点灯の点滅判別ステップからの情報により空気調和機の故障を診断する故障診断ステップと、故障診断ステップの情報を表示する故障結果表示ステップとを備え、前記故障結果表示ステップから前記空気調和機からの故障具合情報を解析し、表示内容を判断する方法としたから、通常運転時に使用する表示ランプを故障診断時における判断手段としたもので、余計な装置や通信線がいらず、修復時間の短縮や、サービスマンの勘違いによる誤った修理を防ぐこともでき、確実なサービスを施すことができる効果を有する。
【発明を実施するための最良の形態】
【００１６】
実施の形態１．
図１は、この発明の実施の形態１における空気調和機の故障診断表示装置を示す制御ブロック図である。図において、空気調和機の室内機１には運転状態又は故障診断状態を表示する表示装置２が設けられている。この表示装置２には受光部５と、高速で点灯消灯できる複数のランプ等から成る運転状態又は故障診断状態を表示する高速表示部６が取り付けられている。また、空気調和機の運転制御を表示するするための情報を入力する入力手段、又は故障診断時に故障診断信号を送信するための故障診断信号を送信する運転指示手段である遠隔制御装置３を備えている。さらに空気調和機の高速表示部６からの信号を認識するための外部認識装置４を備えている。また、前記室内機１の制御部７は、前記表示装置２と室外機８の制御装置９とに接続されている。また、前記室内機１の制御装置７と室外機８の制御装置９は、それぞれの各駆動部や主要部品（図には示していない）につながっている。
【００１７】
なお、本件で使用する「高速」とは、点灯時間が０．０１秒以下、消灯時間が０．０１秒以下で点滅を繰り返す場合、人の目でチラツキに見えず点滅を識別できない。そのため、例えば、蛍光灯のように実際には点灯消灯を繰り返しているが、人の目には常時点灯しているように見える速さを言う。
【００１８】
次に図１に示すこの発明の実施の形態１における空気調和機の故障診断表示装置を示す制御ブロック図と、高速で点灯消灯できる高速表示部のランプの表示状態を示す特性図である図２又は図３を用いて、故障診断表示装置の動作について説明する。図において、通常使用時には通信手段である遠隔制御装置３から信号を送信する。表示装置２に取り付けられている受光部５が遠隔制御装置３からの運転制御信号を受信する。受光部５は、その運転制御信号を室内機制御部（マイコン）７に送信する。室内機制御部７は、その運転制御信号を判別し、室外機制御部９に信号を送信し、運転や停止もしくはその他の動作をする。その際に高速表示部６は、例えば、運転中は常時点灯、停止中は常時消灯している。故障診断時に使用者による外部要求がある場合には、上記の通信手段である遠隔制御装置３にあるボタン（例えば故障診断モードボタン）（図示していない）を押すことで故障診断信号を送信し、前述の受光部５で受信する。そして、受光部５は、その信号を室内機制御部７に送信する。室内機制御部７は、各部の故障状態を確認する。同時に、室外機制御部９に信号を送信し、室外機制御部９も同様に各部の故障状態を確認する。室外機制御部９は、確認した故障状態を室内機制御部７に送信する。室内機制御部７は、室内機１と室外機８の内部情報や故障状態を判別し、その状態に応じた規則の信号、例えば、高速表示部６のランプの点灯状態は図２に示すように、点灯時間が０．０１秒で消灯時間が０．０１秒の高速で点灯消灯を繰り返す信号を高速表示部６に送信する。そして、高速表示部６が信号を受け取る。その際には、使用者の目では認識できず、常時点灯しているように見える。
【００１９】
そして、高速表示部６の高速点灯消灯を専用のソフトウェアを組み込んだ外部認識装置４で取得することにより、その運転状態や故障状態を認識することができる。例えば、その方法の一つとしては、点灯の点滅回数に応じた故障状態をソフトウェアから判断することができる。図２に示す例では、点灯が４回点滅しているので、例えばソフトウェアにあらかじめ４回点滅がファンモーター異常だと登録されていれば、それがファンモーターの故障状態だと判断することができる。または、点灯時間と消灯時間を変えることでも同様の効果を得られる。
【００２０】
例えば、図３で示す点灯時間が０．０１５秒で消灯時間が０．００５秒にした場合、その点滅時間の長さによってデータ処理することで、ソフトウェア上で故障状態を判断することができる。その際、消灯時間が０．００５秒であるため、人の目には消えたことが認識できず、常時点灯しているように見える。図３に示す例では、点灯時間が０．０１５秒でデータ１と判断し、消灯時間が０．００５秒でデータ０と判断することで、全体としてデータが１０１０１０１０と読み取れる。そのため、例えばソフトウェアにあらかじめデータ１０１０１０１０がファンモーター異常だと登録されていれば、それがファンモーターの故障状態だと判断することができる。
【００２１】
次に、この発明の実施の形態１における空気調和機の故障診断表示装置の動作について、図４に示す制御フローチャートを用いて、前述の故障状態の判別方法やサービスの向上性について説明する。通信手段である故障診断信号送信手段のステップＳ００１で、まず使用者やサービスマンが遠隔制御装置３を使用して故障診断信号を空気調和機の室内機１の故障診断表示装置２に向かって送信する。 次に、信号受信手段であるステップＳ００２で、空気調和機の室内機１の故障診断表示装置２に取り付けてある受光部５が、その遠隔制御装置３からの信号を受信する。 そして、制御手段及び内部情報判断手段であるステップＳ００３、Ｓ００４で、マイコンの制御部７が内部情報や故障状態を判断する。 その後、高速点灯消灯手段であるステップＳ００５で、その内部情報や故障状態によって、あらかじめ定められた規則、例えば、高速表示部６のランプの点灯状態は図２に示すように、点灯時間が０．０１秒で消灯時間が０．０１秒の高速で点灯消灯を繰り返す信号を制御装置が高速表示部６のランプに送信することで、高速表示部６のランプが高速で点灯消灯する。 それを点滅表示取得手段であるステップＳ００６において、外部認識装置４で点滅表示を取得する。 そして、点灯の点滅回数・点滅時間判断手段であるステップＳ００７ａ、ステップＳ００７ｂで、外部認識装置４に組み込まれた点灯の点滅回数、および点灯の点滅時間等を判断する。そして故障診断手段であるステップＳ００８で、故障状態を診断し、故障結果表示手段であるステップＳ００９で、故障結果を表示する。 それを表示内容判断手段であるステップＳ０１０で、サービスマンが表示内容を判断し、ステップＳ０１１において修理をし終了となるものである。
【００２２】
以上のように、一つの遠隔制御装置３で通常の運転制御信号と故障診断信号を複数送信するようにしているので、空気調和機の内部や外部に余計な無線送信手段が必要無く、また、使用者の目で識別できないほど高速で点灯消灯を繰り返すことができる高速表示部６を使用し、常時点灯しているように見せているので、使用者に対して余計な不安を抱かせずに済むことができる。また、サービス面では、修復時間の短縮や、サービスマンの勘違いによる誤った修理を防ぐこともでき、確実なサービスを施すことができる。
【００２３】
上記、実施の形態１の説明においては、表示装置に出力させるための信号入力に遠隔制御装置を用いて説明したが、スイッチを用いることでも同様の効果を得られる。その形態を実施の形態１の他の例で説明する。
【００２４】
図５は、この発明の実施の形態１における他の空気調和機の故障診断表示装置を示す制御ブロック図である。図において、空気調和機１には故障診断表示装置２が設けられている。この故障診断表示装置２に高速で点灯消灯できる高速表示部６が取り付けられている。また、空気調和機の室内機１には故障診断時に要求信号を送信するための入力手段である本体スイッチ１０を備えている。さらに空気調和機からの信号を認識するための外部認識装置４を備えている。室内機制御部７は、故障診断表示装置２と室外機制御部９とつながっている。また、図には示していないが、室内機制御部７と室外機制御部９は、それぞれの各駆動部や主要部品につながっている。
【００２５】
次に図５に示すこの発明の実施の形態１における他の空気調和機の故障診断表示装置を示す制御ブロック図と、高速で点灯消灯できる高速表示部のランプの表示状態を示す特性図である図２又は図３を用いて、他の空気調和機の故障診断表示装置の動作について説明する。図において、故障診断時には室内機１に付いている本体スイッチ１０を押すことで故障診断信号を送信する。室内機制御部７は、その故障診断信号を受信した後、各部の故障状態を確認する。同時に、室外機制御部９に信号を送信し、室外機制御部９も同様に各部の故障状態を確認する。室外機制御部９は、確認した故障状態を室内機制御部７に送信する。室内機制御部７は、室内機１と室外機８の内部情報や故障状態を判別し、その状態に応じた規則に従った信号を高速表示部６に送信する。そして、高速表示部６が信号を受け取り、例えば、点灯時間が０．０１秒で消灯時間が０．０１秒の高速で点灯消灯を繰り返す。その際には、使用者の目では認識できず、常時点灯しているように見える。
【００２６】
そして、高速表示部６の高速点灯消灯を専用のソフトウェアを組み込んだ外部認識装置４で取得することにより、その運転状態や故障状態を認識することができる。その方法は、図２又は図３を用いた実施の形態１の説明と同様である。
【００２７】
次にこの発明の実施の形態１における他の空気調和機の故障診断表示装置の動作について、図６に示す制御フローチャートを用いて、前述の故障状態の判別方法やサービスの向上性について説明する。まず、故障診断信号送信手段であるステップＳ０１２で、使用者やサービスマンが本体スイッチ１０を使用して故障診断信号をマイコンの制御部７に送信する。その故障診断信号を制御手段であるステップＳ０１３でマイコン制御部７が受信する。そして、内部情報判断手段であるステップＳ０１４において、信号を受け取ったマイコンの室内機制御部７および室外機制御部９が内部情報や故障状態を判断する。 その後は、ステップＳ０１６乃至ステップＳ０２１においては、前記図４で示した制御フローのステップＳ００６乃至ステップＳ０１１と同様の処理をする。
【００２８】
以上のように、空気調和機の室内機１に取り付けられている本体スイッチ１０で故障診断信号を送信するようにしているので、余計な無線送信手段が必要無い。また、複雑な入力方法が不要であり、本体スイッチ１０を押すだけという簡単な操作で故障情報を得ることができる。また、使用者の目で識別できないほど高速で点灯消灯を繰り返すことができる表示部６のランプを使用し、常時点灯しているように見せているので、使用者に対して余計な不安を抱かせずに済むことができる。また、サービス面では、修復時間の短縮や、サービスマンの勘違いによる誤った修理を防ぐこともでき、確実なサービスを施すことができる。
【００２９】
上記、実施の形態１と実施の形態１の他の装置の説明では、外部からの要求手段を使用して信号を入力することで、表示手段から故障情報を得ることを説明したが、必要な時に外部からの要求手段を使用して必要な故障情報を得るのではなく、高速で点灯消灯しているために人の目では認識できないのであれば、故障情報を常時表示することでも同様の効果を得られる。その形態を次に実施の形態１の他の例として説明する。
【００３０】
図７は、この発明の実施の形態１における他の空気調和機の故障診断表示装置を示す制御ブロック図である。図において、空気調和機１には表示装置２が設けられている。この表示装置２に高速で点灯消灯できる高速表示部６のランプが取り付けられている。さらに空気調和機からの信号を認識するための外部認識装置４を備えている。室内機制御部７は、表示装置２と室外機制御部９とつながっている。また、図には示していないが、室内機制御部７と室外機制御部９は、それぞれの各駆動部や主要部品につながっている。
【００３１】
次に図７に示すこの発明の実施の形態１における他の空気調和機の故障診断表示装置を示す制御ブロック図と、高速で点灯消灯できる高速表示部のランプの表示状態を示す特性図である図２又は図３を用いて、他の空気調和機の故障診断表示装置の動作について説明する。このように構成された空気調和機においては、通常運転時には表示装置２に取り付けられている高速表示部６のランプが常時点灯もしくは消灯している。故障発生時には、室内機制御部７が、各部の故障状態を確認する。同時に、室外機制御部９に信号を送信し、室外機制御部９も同様に各部の故障状態を確認する。室外機制御部９は、確認した故障状態を室内機制御部７に送信する。室内機制御部７は、室内機１と室外機８の内部情報や故障状態を判別し、その状態に応じた規則に従った信号を高速表示部６のランプに送信する。そして、高速表示部６のランプがその信号を受け取り、例えば、図２に示すように点灯時間が０．０１秒で消灯時間が０．０１秒の高速で点灯消灯を繰り返す。その際には、使用者の目では認識できず、常時点灯しているように見える。
【００３２】
そして、高速表示部６のランプの高速点灯消灯を専用のソフトウェアを組み込んだ外部認識装置４で取得することにより、その運転状態や故障状態を認識することができる。その方法は、図２又は図３を用いた実施の形態１の説明と同様である。
【００３３】
次に、この発明の実施の形態１における他の空気調和機の故障診断表示装置の動作について、図８に示す制御フローチャートを用いて、前述の故障状態の判別方法やサービスの向上性について説明する。図８に示す他の実施の形態の場合は、制御手段及び内部情報判断手段であるステップＳ０２２、Ｓ０２３において、故障発生と同時に室内機マイコン制御部７又は室外機制御部９が、内部情報や故障状態を判断する。そして、高速点灯消灯手段であるステップＳ０２４において、ステップＳ０２３から送られた内部情報や故障状態によって、あらかじめ定められた規則に従った信号を制御部が高速表示部６のランプに送信することで、高速表示部６のランプが高速で点灯消灯する。ステップＳ０２４で高速で点灯消灯する点滅表示をステップＳ０２５で取得する。その後は、ステップＳ０２５乃至ステップＳ０３０においては、前記図４で示した制御フローのステップＳ００６乃至ステップＳ０１１と同様の処理をする。
【００３４】
以上のように、故障発生時に制御装置が自動で故障箇所や故障状態を判断し、常時故障情報を表示しているので、空気調和機の内部や外部に余計な無線送信手段が必要無い。また、使用者の目で識別できないほど高速に点灯消灯を繰り返すことができる高速表示部６のランプを使用し、常時点灯しているように見せているので、使用者に余計な不安を抱かせずに済むことができる。また、サービス面では、修復時間の短縮や、サービスマンの勘違いによる誤った修理を防ぐこともでき、確実なサービスを施すことができる。
【００３５】
上記、実施の形態１等で説明した装置等による表示手段からの故障情報の取得を、外部通信手段と接続することで、さらなるサービス性の向上と時間の短縮を図ることができる。また、外部認識装置に組み込む専用のソフトウェアの軽量化を図ることができる。その形態を以下の他の実施の形態で説明する。
【００３６】
図９は、この発明の実施の形態１における他の空気調和機の故障診断表示装置を示す制御ブロック図である。図において、空気調和機１には表示装置２が設けられている。この表示装置２に高速で点灯消灯できる高速表示部６ランプが取り付けられている。また、空気調和機を運転制御するための入力手段、そして故障診断時に故障診断信号を送信するための入力手段である遠隔制御装置３を備えている。さらに空気調和機からの信号を認識するための外部認識装置４を備えている。外部通信手段１１は、前記外部認識装置４と信号線１２、又は無線通信手段（図示されていない）などでつながれている。室内機制御部７は、表示装置２と室外機制御部９とつながっている。また、図には示していないが、室内機制御部７と室外機制御部９は、それぞれの各駆動部や主要部品につながっている。
【００３７】
次に図９に示すこの発明の実施の形態１における他の空気調和機の故障診断表示装置を示す制御ブロック図と、高速で点灯消灯できる高速表示部のランプの表示状態を示す特性図である図２又は図３を用いて、他の空気調和機の故障診断表示装置の動作について説明する。このように構成された空気調和機においては、通常運転時には通信手段である遠隔制御装置３から信号を送信する。表示装置２に取り付けられている受光部５が遠隔制御装置３からの運転制御信号を受信する。受光部５は、その運転制御信号を室内機制御部(マイコン)７に送信する。室内機制御部７は、その運転制御信号を判別し、室外機制御部９に信号を送信し、運転や停止もしくはその他の動作をする。その際に、高速表示部６のランプが常時点灯もしくは消灯している。故障発生時に使用者による外部要求がある場合には、上記の遠隔制御装置３にあるボタン（例えば故障診断モードボタン）を押すことで故障診断信号を送信し、前述の受光部５で受信する。そして、受光部５は、その信号を室内機制御部７に送信する。室内機制御部７は、各部の故障状態を確認する。同時に、室外機制御部９に信号を送信し、室外機制御部９も同様に各部の故障状態を確認する。室外機制御部９は、確認した故障状態を室内機制御部７に送信する。室内機制御部７は、室内機１と室外機８の内部情報や故障状態を判別し、その状態に応じた規則の信号を表示部６のランプに送信する。そして、高速表示部６のランプが信号を受け取り、例えば、点灯時間が０．０１秒で消灯時間が０．０１秒の高速で点灯消灯を繰り返す。その際には、使用者の目では認識できず、常時点灯しているように見える。そして、高速表示部６のランプの高速点滅状態を外部認識装置４で信号として取得することにより、その運転状態や故障状態を判別することができる。
【００３８】
もしくは、容量の少ない外部認識装置のためにその信号情報を判別できない場合は、その取得した情報を、一旦、外部通信手段１１を利用して別の場所にある故障診断装置へ送信することにより、故障診断装置に故障状態を判別させ対策方法を選択させる。その後、故障診断装置による判別結果や対策方法の情報は再度外部認識装置４へ返信され、判別結果や対策方法の情報を表示する。
【００３９】
次に、この発明の実施の形態１における他の空気調和機の故障診断表示装置の動作について、図１０に示す制御フローチャートを用いて、前述の故障状態の判別方法やサービスの向上性について説明する。まず、故障診断信号送信手段であるステップＳ０３１で、使用者やサービスマンが遠隔制御装置３を使用して故障診断信号を空気調和機の表示装置２に向かって送信する。そして、信号受信手段であるステップＳ０３２で、空気調和機の表示装置２に取り付けてある受光部５が、前記故障診断信号送信手段である遠隔制御装置３からの信号を受信する。受信された故障診断信号は、制御手段及び内部情報判断手段であるステップＳ０３３、ステップＳ０３４で、マイコンの室内機１側制御部７又は室外機制御部９が内部情報や故障状態を判断する。その後、高速点灯消灯手段であるステップＳ０３５において、その内部情報や故障状態によって、あらかじめ定められた規則、例えば、高速表示部６のランプの点灯状態は図２に示すように、点灯時間が０．０１秒で消灯時間が０．０１秒の高速で点灯消灯を繰り返す信号を制御装置が高速表示部６のランプに送信することで、高速表示部６のランプが高速で点灯消灯する。それを点滅表示取得手段であるステップＳ０３６において、点滅表示を外部認識装置４で取得する。次に、前記点滅表示取得手段であるステップＳ０３６で取得した高速点灯消灯データのデータ処理量を判定するデータ処理量判定手段であるステップＳ０３７で、外部認識装置４が例えば、カメラ付きパソコンのような大容量のデータを処理できるとの判定がＹＥＳであれば、点灯の点滅回数・点滅時間判断手段であるステップＳ０３８ａおよびステップＳ０３８ｂに進み、点灯の点滅回数および点滅時間をそれぞれ判断する。そして、ステップＳ０３８ａおよびステップＳ０３８ｂから送信された情報により、故障診断手段であるステップＳ０３９で故障診断をし、診断結果を故障結果表示手段であるステップＳ０４０でその故障結果を表示する。 ステップＳ０４０で表示された結果を、表示内容判断手段であるステップＳ０４１でサービスマンが表示内容を判断し、ステップＳ０４２で修理をし完了となる。
【００４０】
また、前記点滅表示取得手段であるステップＳ０３６で取得した高速点灯消灯データのデータ処理量を判定するデータ処理量判定手段であるステップＳ０３７で、外部認識装置４が例えば、カメラ付きパソコンのような大容量のデータを処理できるとの判定がＮＯであれば、外部通信手段であるステップＳ０４３において、インターネットなどの外部通信手段１１を用い、外部故障診断装置に送信し、データ情報転送手段であるステップＳ０４４で得た情報を別の場所にある故障診断装置に情報転送する。 そして、転送されたデータを処理するデータ処理手段であるステップＳ０４５で、データを処理し故障診断手段であるステップＳ０４６で、その故障情報を判断する。その結果を故障結果転送手段であるステップＳ０４７が受信し、再び外部認識装置４に送信する。ステップＳ０４７で送信された故障結果を外部認識装置４の故障結果表示手段であるステップＳ０４０で受信して結果を表示する。表示内容判断手段であるステップＳ０４１でサービスマンが表示内容を判断し、ステップＳ０４２で修理をし完了となる。 
【００４１】
以上のように、外部通信手段１１を使用することで、別の場所にある故障診断装置に外部認識装置４で得た表示ランプ６の高速点滅の情報を送信することができ、そのため、外部認識装置４で故障状態を判断する必要が無くなる。その結果、外部認識装置４に組み込む専用のソフトウェアを軽量化することができる。つまり、高速表示ぶ６のランプの高速点滅を取得だけできるソフトウェアを組み込むだけで、それを判断するためのソフトウェアを不要にできるという効果が得られる。
【００４２】
上記、実施の形態１等で説明した装置等の説明においては、点灯中の高速表示部６のランプを高速で点灯消灯させて、使用者に対して常に点灯中であるように見せることで余計な不安を与えずに、故障診断時に使用する例を用いて説明したが、消灯中の表示部６のランプを使用し、使用者に対して常に消灯中であるように見せて余計な不安を与えず、故障診断時に使用することで同様の効果を得られる。
【００４３】
その高速表示部６のランプの状態を図１１に示す。図１１では、点灯時間が０．０１秒で、消灯時間が０．１秒あることで、人の目では点滅を認識できず、使用者に対して常に消灯中であるように見せる表示としている。点灯時間が０．０１秒以下であることで人の目では点灯を認識できない。そして、その点灯時間の間隔（つまり消灯時間）が０．１秒以上あることで、人の目には常に消灯中であるように見える。
【００４４】
また、上記、実施の形態１等で説明した装置等の説明においては、点灯中もしくは消灯中の１個の高速表示部６のランプを高速で点灯消灯させて、故障診断時に使用する例を用いて説明したが、故障診断時に２個の高速表示部６のランプを使用し、その組み合せや回数によっても同様の効果を得られる。その際には、故障診断時において、より多くの情報を早く取得できる効果を得られる。その高速表示部６のランプの状態を図１２に示す。図１２では、実施の形態１等で説明した装置等と同様に点灯時間が０．０１秒、そして消灯時間が０．０１秒で表示してある。
【００４５】
また、上記、実施の形態１等で説明した装置等の説明においては、室内機１と室外機８の故障情報をまとめて１個または２個の高速表示部６のランプを高速で点灯消灯させて、故障診断時に使用する例を用いて説明したが、室内機１の故障診断情報で１個の高速表示部６のランプを使用し、室外機８の故障診断情報でもう１個の高速表示部６のランプを使用することでも同様の効果を得られる。その際は、どちらにどのような故障が発生したのか判断し易い効果を得られる。その高速表示部６のランプ状態を図１３に示す。図１３では、実施の形態１等で説明した装置等と同様に故障発生と同時に、点灯時間が０．０１秒、そして消灯時間が０．０１秒で表示してある。
【図面の簡単な説明】
【００４６】
【図１】この発明の実施の形態１における空気調和機の故障診断表示装置を示すブロック図である。
【図２】この発明の実施の形態１における空気調和機の故障診断表示装置の表示状態を示す特性図である。
【図３】この発明の実施の形態１における空気調和機の故障診断表示装置の表示状態を示す特性図である。
【図４】この発明の実施の形態１における空気調和機の故障診断表示装置の動作制御フローチャートである。
【図５】この発明の実施の形態１における他の空気調和機の故障診断表示装置を示す制御ブロック図である。
【図６】この発明の実施の形態１における他の空気調和機の故障診断表示装置を示す制御フローチャートである。
【図７】この発明の実施の形態１における他の空気調和機の故障診断表示装置を示す制御ブロック図である。
【図８】この発明の実施の形態１における他の空気調和機の故障診断表示装置を示す制御フローチャートである。
【図９】この発明の実施の形態１における他の空気調和機の故障診断表示装置を示す制御ブロック図である。
【図１０】この発明の実施の形態１における他の空気調和機の故障診断表示装置を示す制御フローチャートである。
【図１１】この発明の実施の形態１における他の空気調和機の故障診断表示装置の表示状態を示す特性図である。
【図１２】この発明の実施の形態１における他の空気調和機の故障診断表示装置の表示状態を示す特性図である。
【図１３】この発明の実施の形態１における他の空気調和機の故障診断表示装置の表示状態を示す特性図である。
【符号の説明】
【００４７】
１  室内機、２  表示装置、３  遠隔制御装置、４  外部認識装置、５  受光部、６  高速表示部、７  室内機制御部、８  室外機、９  室外機制御部、１０  本体スイッチ、１１  外部通信装置、１２  信号線。
【図１】
2006258379.tif 000003
【図２】
2006258379.tif 000004
【図３】
2006258379.tif 000005
【図４】
2006258379.tif 000006
【図５】
2006258379.tif 000007
【図６】
2006258379.tif 000008
【図７】
2006258379.tif 000009
【図８】
2006258379.tif 000010
【図９】
2006258379.tif 000011
【図１０】
2006258379.tif 000012
【図１１】
2006258379.tif 000013
【図１２】
2006258379.tif 000014
【図１３】
2006258379.tif 000015